(57)【特許請求の範囲】
【請求項１】
取付枠に回動自在に取り付けられた複数の縦羽根と、これらの縦羽根を同時に左右に揺動させる連動板とを備え調和空気の吹出方向を変えるように成した空気調和機の風向調節装置において、
前記縦羽根は、前記連動板の連動孔に嵌まる連動軸と、予め定めた角度以上吹出方向を変えた際に前記連動板に当たり吹出方向の規制を行う当接縁とを備え、
前記連動板は、複数の前記連動孔をこの連動板の長手方向に沿って直線上に配置し、この直線を前記連動板の短手方向の中心からずらすと共に、前記連動板の表側と裏側のいずれ側からも前記連動孔に前記連動軸を嵌めることができるので、前記連動板の表側又は裏側の選択使用を可能にし、この連動板の表裏を反転させることにより２通りの揺動角度を持つことを特徴とする空気調和機の風向調節装置。
【請求項２】
前記縦羽根の前記連動軸は前記連動板の前記連動孔に着脱自在に嵌められることを特徴とする請求項１に記載の空気調和機の風向調節装置。
【請求項３】
前記連動板は一長辺に突起片を形成したことを特徴とする請求項２に記載の空気調和機の風向調節装置。
【請求項４】
前記突起片は長辺の端に形成したことを特徴とする請求項３に記載の空気調和機の風向調節装置。
【請求項５】
前記連動板は前記縦羽根と交差するように配置されていることを特徴とする請求項４に記載の空気調和機の風向調節装置。
【発明の詳細な説明】
【０００１】
【発明の属する技術分野】
本発明は空気調和機から吐出される調和空気の方向を変える風向調節装置に関する。
【０００２】
【従来の技術】
従来の空気調和機は、図６に示すように、吸込口３と吹出口６とを有するケーシング２内に、熱交換器４とクロスフローファン型送風機５とを収容し、吸込口３からフィルタを介して吸い込んだ空気を熱交換器４で加熱または冷却した後、クロスフローファン５により吹出口６から吹き出している。
【０００３】
送風機５と吹出口６を連通する吹出通路７は吹出風の方向を左右に調節する複数の縦羽根９と、吹出風の方向を上下に調節する水平羽根１５とを備えている。
【０００４】
縦羽根９は吹出口６の取付枠１１の回動孔１２に、縦羽根９の回動軸を回動自在に取り付けられ、各縦羽根９は連動板１４によって連動するように連結されて風向調節装置が構成され、全ての縦羽根が同時に左右に回動するように構成されている。
【０００５】
【発明が解決しようとする課題】
ところが、上記空気調和機の風向調節装置は、冷房運転時、湿度の高い状態で横羽根を大きく揺動して（最大揺動角度）長時間運転し続けると室内の温度や湿度の条件によっては吹出口付近に露が付着し、この露が床に滴下するという問題があった。また、この風向調節装置は共通部品として複数の機種の吹出口で使用されるため、室内の湿度条件以外に機種の能力によっては羽根を大きく揺動した位置で冷房運転をし続けると吹出口付近に露が付着して滴下するという問題が生じることがあった。
【０００６】
本発明は上述のような従来の問題点を解消したものであり、冷房運転時に縦羽根の最大揺動角度を規制し、露の付着が生じるような縦羽根の揺動を簡単に防ぐことのできる空気調和機の風向調節装置を提供することを目的とする。
【０００７】
【課題を解決するための手段】
上記目的を達成するために、本発明は取付枠に回動自在に取り付けられた複数の縦羽根と、これらの縦羽根を同時に左右に揺動させる連動板とを備え調和空気の吹出方向を変えるように成した空気調和機の風向調節装置において、
縦羽根は、連動板の連動孔に嵌まる連動軸と、予め定めた角度以上吹出方向を変えた際に連動板に当たり吹出方向の規制を行う当接縁とを備え、
連動板は、複数の連動孔をこの連動板の長手方向に沿って直線上に配置し、この直線を連動板の短手方向の中心からずらすと共に、連動板の表側と裏側のいずれ側からも連動孔に前記連動軸を嵌めることができるので、連動板の表側又は裏側の選択使用を可能にし、この連動板の表裏を反転させることにより２通りの揺動角度を持つことを特徴とする。
【０００８】
また、縦羽根の連動軸は連動板の連動孔に着脱自在に嵌められるものである。
【０００９】
また、連動板は一長辺に突起片を形成したことを特徴とするものである。
【００１０】
また、突起片は長辺の端に形成したものである。
【００１１】
また、連動板は縦羽根と交差するように配置されているものである。
【００１２】
【発明の実施の形態】
以下、本発明の一実施形態を図面を用いて説明する。尚、従来技術として説明した図６に示す連動板１４を図４に示す連動板１３に変えるものが本発明のなので、本発明の前提となる説明は図６の説明を共通して用いることができるので省略する。
【００１３】
図４は連動板１３の平面図である。連動板１３は長方形状の細長い樹脂製の板であり、この板には複数の連動孔２１が一方の長辺から寸法Ｌ、他方の長辺からは寸法Ｌより小さな寸法Ｍの位置に、かつ、これら長辺に平行な直線上に配設されている。（以下連動孔２１から寸法Ｌの遠い方の長辺を遠方側長辺２３ａ、連動孔２１から寸法Ｍの近い方の長辺を近方側長辺２３ｂという。）
図３は縦羽根９の側面図である。縦羽根９は樹脂製の平らな板であり、取付枠１１に設けられた回動孔１２に回動自在に嵌まる回動軸１６と連動板１３の連動孔２１に嵌まる連動軸１７とを有している。
【００１４】
この回動軸１６を中心にして縦羽根９が左右に揺動される。縦羽根９は風向を左右に案内すると共に、風向を変える操作部でもある。連動軸１７は回動軸１６の軸方向と平行に、かつ回動軸１６の先端方向と反対方向に軸の先端を突出させて連動板１３の連動孔２１に着脱自在に嵌められている。
【００１５】
また、縦羽根９には連動軸１７に対向して連動軸１７に平行に間隔Ｅを持って揺動制限縁（以下当接縁という）１８が形成されている。
【００１６】
このようにして縦羽根９の連動軸１７が嵌められる連動孔２１を連動板１３の長手方向に沿った直線上に配置し、表側と裏側とで非対称になるよう寸法Ｌ及び寸法Ｍを設定している。また、連動板１３は表側と裏側とのどちら側からでも連動軸１７が嵌合され、連動板１３を動かすことによって縦羽根９全体を連動して左右に揺動できるものである。
【００１７】
遠方側長辺２３ａの中央には切欠２２が形成され、遠方側長辺２３ａと近方側長辺２３ｂとを区別する目印にしている。また、遠方側長辺２３ａの端部には突起片２４が設けられ、この突起片２４と短辺との距離が突起片２４近傍の連動孔２１と短辺との距離とほぼ同じ距離に形成されている。
【００１８】
図１は本発明の風向調節装置の平面図である。取付枠１１の回動孔１２には、縦羽根９の回動軸１６をほぼ下向きに、縦羽根９の連動軸１７を後方（風上側）にして枢着されている。連動板１３は縦羽根９の連動軸１７に近方側長辺２３ｂを縦羽根９側（前方側）にして枢着されている。
【００１９】
縦羽根９が前方の位置にあるときには連動軸１７と当接縁１８との距離Ｅが連動板１３のＭ寸法より大きいため、連動板１３の近方側長辺２３ｂと当接縁１８との間には縦羽根９の左右の大きな揺動に充分な間隔が確保されている。
【００２０】
縦羽根９を、図２に示すように、縦羽根９の前縁（図の下方側）を右に揺動すると連動板１３が左方向に動いて近方側長辺２３ｂと当接縁１８との間隔が狭まり、縦羽根９が所定角度（図２では、例えば約４５度の角度）で当接縁１８と当接する。同様に縦羽根９の前縁を左に揺動すると、縦羽根９が所定角度で当接縁１８と当接し、この左右の揺動角度範囲で風向が調節される。
【００２１】
本実施形態では左右４５度の範囲に設定されている。この縦羽根９の最大揺動角度は、連動軸１７と当接縁１８との間の寸法Ｅに対して連動板１３の連動孔２１と長辺２３との間の寸法を変えることによって変わるものである。
【００２２】
連動板１３は表裏を反転させることにより、近方側長辺２３ａを縦羽根９側にしても、また、遠方側長辺２３ａを縦羽根９側にしても、連動軸１７に枢着することができる。
【００２３】
図５に示すように、遠方側長辺２３ａを縦羽根１３側に向け連動軸１７に枢着すると、近方側長辺２３ａを縦羽根９側に向け枢着する場合に比べ、長辺２３と当接縁１８との間隔が狭まるため、縦羽根９の揺動する角度が小さいうちに当接縁１８と長辺２３とが当接する。図５では、この左右２０度の揺動角度範囲で風向が調節される。
【００２４】
このように、本発明の連動板１３は、複数の連動孔２１を連動板１３の長手方向に沿って両長辺２３ａ、２３ｂの中心から偏って配設し、かつどちらの長辺２３を縦羽根側に向けても縦羽根９の連動軸１７に枢着することができるので、風向調節装置８を組み立てる時に、連動板１３の表裏を反転させることにより、１つの連動板１４で２通りの最大揺動角度を持つ風向調節装置８を提供することができる。
【００２５】
連動板１３は表側と裏側のいずれ側からも縦羽根９の連動軸１７を枢着することができるので、風向調節装置８組立時に、組立作業時に誤って組み立てられるおそれがあるので、これを避けるため、連動板１４の一方の長辺には切欠２２と突起片２４が形成されている。
【００２６】
図７は連動板の突起片側を縦羽根側に枢着したときの風向調節装置の平面図であり、図８は図７の部分拡大図である。
【００２７】
この実施例では、切欠２２は遠方側長辺２３ａと近方側長辺２３ａとを区別するための目印であり、突起片２４は同様な区別と併せて縦羽根９の揺動を極端に制限するものとして設けられている。突起片２４を縦羽根９の揺動を制限するときの長辺側に設ければ、縦羽根９をわずかに左方向に揺動しても、突起片２４が縦羽根９の当接縁１８に当接して動かなくなるので、縦羽根９を少し左右に揺動させることによって、揺動制限の組立をしたのか連動板１３を誤って取り付けたのかは組立後であっても容易に確認できる。
【００２８】
なお、突起片２４は突起片２４側を縦羽根９側に向けて風向調節装置８を組み立てるときには、突起片２４をニッパー等で切除しなければ実用的な揺動を確保できないこともあるが、この突起片２４は切断しやすい端に形成されているので、切除作業に困難さはない。また、突起片２４は切断しないと突起片２４側を使用できないときは、使用頻度の少ない側の長辺に設けられる。
【００２９】
以上、一実施形態に基づいて本発明を説明したが、本発明はこれに限定されるものではない。
【００３０】
【発明の効果】
以上説明したように、本発明によれば、風向調節装置の連動板と縦羽根の縁を当接させて縦羽根の揺動角度範囲を制限する構成の風向調節装置において、連動板の縦羽根の当接する縁までの距離を連動板の長辺と連動軸との寸法によって２通りの縦羽根の揺動角度を設定して縦羽根の揺動角度範囲の通常使用と揺動角度範囲を狭めた特別使用の設計が容易にできるようにしたので、室内の温度や湿度の特殊な条件によつて空気吹出口付近に露が付着するようなときにも、吹出風の左右の揺動角を制限してこのような露付きを防止した空気調和機を提供することができる。
【００３１】
また、特別使用側の遠方側長辺を使用するときには突起片を切断しないと正常に使えないようしておき、誤って組み立てた場合や風向調節装置組立後に確認する場合にも容易に調べることができるものであり、より確実に露付きを防止した空気調和機を提供することができる。
【図面の簡単な説明】
【図１】  本発明の風向調節装置の平面図である。
【図２】  図1の縦羽根を最大に揺動した状態を示す平面図である。
【図３】  縦羽根の側面図である。
【図４】  連動板の平面図である。
【図５】  連動板の縦羽根への取付を変えたときの平面図である。
【図６】  風向調節装置を空気調和機に設置した状態を示す側断図である。
【図７】  連動板の突起片側を縦羽根側に枢着したときの風向調節装置の平面図である。
【図８】  図７の部分拡大図である。
【符号の説明】
１  空気調和機
５  送風機
６  吹出口
８  風向調節装置
９  縦羽根
１１  取付枠
１２  回動孔
１３  連動板
１６  回動軸
１７  連動軸
１８  当接縁
２１  連動孔
２２  切欠
２３  連動板の長辺
２３ａ  遠方側長辺
２３ｂ  近方側長辺
２４  突起片
【図１】
0004152044.tif 000002
【図２】
0004152044.tif 000003
【図３】
0004152044.tif 000004
【図４】
0004152044.tif 000005
【図５】
0004152044.tif 000006
【図６】
0004152044.tif 000007
【図７】
0004152044.tif 000008
【図８】
0004152044.tif 000009